(57)【要約】  本発明は駆動機構、当該駆動機構を用いたヘッド機構、及び当該ヘッド機構を用いた扇風機に関する。前記駆動機構は扇風機のヘッド組立体の鉛直回動と水平回動を駆動するように設置されて、前記駆動機構は俯仰組立体と回動組立体を含み、前記ヘッド組立体が俯仰組立体と接続されて、当該俯仰組立体はヘッド組立体を鉛直方向において一つの既定の俯仰角まで回動するように動かし；前記回動組立体が俯仰組立体と接続されて且つ俯仰組立体の下に位置し、当該回動組立体はヘッド組立体を水平方向において回動するように動かす。
2021517221.tif 000002
【特許請求の範囲】
【請求項１】
扇風機のヘッド組立体の鉛直回動及び水平回動を駆動するように設置されている駆動機構であって、
前記ヘッド組立体と接続され、前記ヘッド組立体を鉛直方向において一つの既定の俯仰角まで回動するように動かす俯仰組立体と、
前記俯仰組立体と接続されて、且つ前記俯仰組立体の下に位置し、前記ヘッド組立体と前記俯仰組立体を水平方向において回動するように動かす回動組立体と、
を含む駆動機構。
【請求項２】
前記俯仰組立体は回転軸を含み、前記ヘッド組立体は二つの対向して設置されている接続壁を含み、それぞれ一つの前記接続壁は前記回転軸の一端と接続されている請求項１に記載の駆動機構。
【請求項３】
前記俯仰組立体は、対向して設けられた第一側壁と第二側壁とをさらに含み、前記回転軸の両端はそれぞれ、それに対応する前記第一側壁と前記第二側壁を回動可能に通り抜けてから、前記接続壁と接続されている請求項２に記載の駆動機構。
【請求項４】
前記俯仰組立体は、前記回転軸上に外嵌されたねじりばねと、前記回転軸に設置された位置制限具と、をさらに含み、前記ねじりばねは、対向して設置された第一端と第二端とを含み、前記第二側壁には、ストッパがさらに備えられ、前記第一端の位置は前記位置制限具に制限され、前記第二端は前記ストッパに止められる請求項３に記載の駆動機構。
【請求項５】
前記回転軸の一端面には、収容溝が凹設され、前記俯仰組立体は、前記収容溝に収容された位置制限球をさらに備え、前記第一側壁には、間隔をあけて設けられたいくつかの位置制限孔が開けられて、前記ヘッド組立体は、前記俯仰組立体に動かされて鉛直方向において一つの既定の俯仰角まで回動して、前記位置制限球の位置は、対応する前記位置制限孔の孔壁に制限される請求項３に記載の駆動機構。
【請求項６】
前記位置制限孔は、前記回転軸の回転中心軸線と前記第一側壁が位置する平面との交点を円心とし、前記交点と前記位置制限球との距離を半径とする円周上に分布しており、且つ／又は、
前記俯仰組立体は、前記収容溝に収容された弾性部材をさらに備え、前記弾性部材の一端は前記収容溝の底壁に当接し、他端は前記位置制限球に当接する請求項５に記載の駆動機構。
【請求項７】
前記第二側壁には、間隔をあけて設置されたいくつかの開孔が開けられて、前記ねじりばねの第二端を止めるために、前記ストッパがその中の一つの開孔を通り抜ける請求項４に記載の駆動機構。
【請求項８】
前記回動組立体は支持具を含み、前記俯仰組立体は、前記第一側壁および前記第二側壁に接続された底壁をさらに含み、前記支持具は前記底壁に接続されている請求項３に記載の駆動機構。
【請求項９】
前記回動組立体は、出力軸を有するモータを含み、前記回動組立体は、前記出力軸に外嵌されたクランクと、コネクティングロッドと、位置決め具と、前記位置決め具に設けられた接続柱と、をさらに備え、前記コネクティングロッドは、一端が前記クランクに接続され、他端が前記接続柱に接続され、前記支持具は、前記位置決め具に回動可能に設けられ、前記モータは、前記出力軸、前記クランク、前記コネクティングロッド、前記接続柱、前記支持具、及び前記底壁を介して、前記ヘッド組立体及び前記俯仰組立体を水平方向において回動するように駆動する請求項８に記載の駆動機構。
【請求項１０】
前記駆動機構はワイヤーハーネスをさらに含み、前記ヘッド組立体はメインモータを含み、前記位置決め具にはさらに収容チャンバーが開けられ、前記支持具にはバイアホールが開けられ、前記ワイヤーハーネスは順に、前記収容チャンバー、前記バイアホール及び前記俯仰組立体を通り抜けて、前記メインモータに接続される請求項８に記載の駆動機構。
【請求項１１】
ヘッド組立体及び駆動機構を含み、前記駆動機構が扇風機の前記ヘッド組立体の鉛直回動及び水平回動を駆動するように設置されているヘッド機構であって、前記駆動機構は、
前記ヘッド組立体と接続され、前記ヘッド組立体を鉛直方向において一つの既定の俯仰角まで回動するように動かす俯仰組立体と、
前記俯仰組立体と接続されて、且つ前記俯仰組立体の下に位置し、前記ヘッド組立体と前記俯仰組立体を水平方向において回動するように動かす回動組立体と、
を含むヘッド機構。
【請求項１２】
前記俯仰組立体は回転軸を含み、前記ヘッド組立体は二つの対向して設置されている接続壁を含み、それぞれ一つの前記接続壁は前記回転軸の一端と接続されている請求項１１に記載のヘッド機構。
【請求項１３】
前記俯仰組立体は、対向して設けられた第一側壁と第二側壁とをさらに含み、前記回転軸の両端はそれぞれ、それに対応する前記第一側壁と前記第二側壁を回動可能に通り抜けてから、前記接続壁と接続される請求項１２に記載のヘッド機構。
【請求項１４】
前記俯仰組立体は、前記回転軸上に外嵌されたねじりばねと、前記回転軸に設置された位置制限具と、をさらに含み、前記ねじりばねは、対向して設置された第一端と第二端とを含み、前記第二側壁には、ストッパがさらに備えられており、前記第一端の位置は前記位置制限具に制限され、前記第二端は前記ストッパに止められる請求項１３に記載のヘッド機構。
【請求項１５】
前記回転軸の一端面には、収容溝が凹設され、前記俯仰組立体は、前記収容溝に収容された位置制限球をさらに備え、前記第一側壁には、間隔をあけて設けられたいくつかの位置制限孔が開けられており、前記ヘッド組立体は、前記俯仰組立体に動かされて鉛直方向において一つの既定の俯仰角まで回動して、前記位置制限球の位置は、対応する前記位置制限孔の孔壁に制限される請求項１３に記載のヘッド機構。
【請求項１６】
前記位置制限孔は、前記回転軸の回転中心軸線と前記第一側壁が位置する平面との交点を円心とし、前記交点と前記位置制限球との距離を半径とする円周上に分布しており、且つ／又は、
前記俯仰組立体はさらに、前記収容溝に収容された弾性部材を備え、前記弾性部材の一端は前記収容溝の底壁に当接し、他端は前記位置制限球に当接する請求項１５に記載のヘッド機構。
【請求項１７】
前記第二側壁には、間隔をあけて設置されたいくつかの開孔が開けられて、前記ねじりばねの前記第二端を止めるために、前記ストッパがその中の一つの開孔を通り抜ける請求項１４に記載のヘッド機構。
【請求項１８】
前記回動組立体は支持具を含み、前記俯仰組立体は、前記第一側壁および前記第二側壁に接続された底壁をさらに含み、前記支持具は前記底壁に接続されている請求項１３に記載のヘッド機構。
【請求項１９】
前記回動組立体は、出力軸を有するモータを含み、前記回動組立体は、前記出力軸に外嵌されたクランクと、コネクティングロッドと、位置決め具と、前記位置決め具に設けられた接続柱と、をさらに備え、前記コネクティングロッドは、一端が前記クランクに接続され、他端が前記接続柱に接続され、前記支持具は、前記位置決め具に回動可能に設けられ、前記モータは、前記出力軸、前記クランク、前記コネクティングロッド、前記接続柱、前記支持具、及び前記底壁を介して、前記ヘッド組立体及び前記俯仰組立体を水平方向において回動し、且つ／又は
前記駆動機構はワイヤーハーネスをさらに含み，前記ヘッド組立体はメインモータを含み、前記位置決め具には収容チャンバーがさらに開けられており、前記支持具にはバイアホールが開けられており、前記ワイヤーハーネスは順に、前記収容チャンバー、前記バイアホール、及び前記俯仰組立体を通り抜けて、前記メインモータに接続される請求項１８に記載のヘッド機構。
【請求項２０】
支持組立体を含む扇風機であって、前記扇風機はヘッド機構をさらに含み、前記支持組立体は前記ヘッド機構を支持し、前記ヘッド機構はヘッド組立体及び駆動機構を含み、前記駆動機構が扇風機の前記ヘッド組立体の鉛直回動及び水平回動を駆動するように設置され、前記駆動機構は、
前記ヘッド組立体と接続され、前記ヘッド組立体を鉛直方向において一つの既定の俯仰角まで回動するように動かす俯仰組立体と、
前記俯仰組立体と接続されて、且つ前記俯仰組立体の下に位置し、前記ヘッド組立体と前記俯仰組立体を水平方向において回動するように動かす回動組立体と、
を含む扇風機。
【発明の詳細な説明】
【技術分野】
【０００１】
本発明は扇風機の技術分野に関し、特に駆動機構、当該駆動機構を用いたヘッド機構、及び当該ヘッド機構を用いた扇風機に関する。
【背景技術】
【０００２】
現在、市販されている一部の扇風機のヘッド機構は、ヘッド組立体、ヘッド組立体と接続されている左右首振り組立体、及び俯仰組立体を含む。左右首振りによりヘッド組立体を水平方向において回動、即ち、水平方向で左右首振りするように動かす。俯仰組立体はヘッド組立体と左右首振り組立体の下に位置して、且つヘッド組立体と左右首振り組立体を支持して、ヘッド組立体と左右首振り組立体を俯仰運動するように動かして、ヘッド組立体と左右首振り組立体を一つの既定の角度まで、即ち、鉛直方向に沿って一つの既定の角度まで回動させる。しかしながら、左右首振り組立体は当該俯仰運動の過程において、俯仰機構と衝突することがあるので、当該扇風機の俯仰角を比較的小さくしてしまう。
【発明の概要】
【発明が解決しようとする課題】
【０００３】
本発明は、上記問題点に鑑みてなされたものであり、その目的とするところは、当該駆動機構が応用された扇風機に俯仰角が大きいという利点を有するようにすることにある。
【課題を解決するための手段】
【０００４】
上記技術問題を解決するために、本発明が提案する駆動機構は、扇風機のヘッド組立体の鉛直回動及び水平回動を駆動するように設置されている駆動機構であって、
前記ヘッド組立体と接続され、当該ヘッド組立体を鉛直方向において一つの既定の俯仰角まで回動するように動かす俯仰組立体と、
俯仰組立体と接続されて、且つ俯仰組立体の下に位置し、ヘッド組立体と俯仰組立体を水平方向において回動するように動かす回動組立体と、を含む。
【０００５】
さらに、当該俯仰組立体は回転軸を含み、当該ヘッド組立体は二つの対向して設置されている接続壁を含み、それぞれ一つの接続壁は回転軸の一端と接続されている。
【０００６】
さらに、当該俯仰組立体はさらに、対向して設けられた第一側壁と第二側壁を含み、当該回転軸の両端はそれぞれ、それに対応する第一側壁と第二側壁を回動可能に通り抜けてから、接続壁と接続される。
【０００７】
さらに、当該俯仰組立体はさらに、回転軸上に外嵌されたねじりばねと、回転軸に設置された位置制限具とを含み、当該ねじりばねは、対向して設置された第一端と第二端とを含み、当該第二側壁には、さらにストッパが備えられ、当該第一端の位置は位置制限具に制限され、当該第二端はストッパに止められる。
【０００８】
さらに、当該回転軸の一端面には、収容溝が凹設され、当該俯仰組立体はさらに、収容溝に収容された位置制限球を備え、当該第一側壁には、間隔をあけて設けられたいくつかの位置制限孔が開けられて、当該ヘッド組立体は、俯仰組立体に動かされて鉛直方向において一つの既定の俯仰角まで回動して、当該位置制限球の位置は、対応する位置制限孔の孔壁に制限される。
【０００９】
さらに、前記位置制限孔は、前記回転軸の回転中心軸線と第一側壁が位置する平面との交点を円心とし、前記交点と前記位置制限球との距離を半径とする円周上に分布しており、且つ／又は、
当該俯仰組立体はさらに、収容溝に収容された弾性部材を備え、当該弾性部材の一端は収容溝の底壁に当接し、他端は位置制限球に当接する。
【００１０】
さらに、当該第二側壁には、間隔をあけて設置されたいくつかの開孔が開けられて、ねじりばねの第二端を止めるために、当該ストッパがその中の一つの開孔を通り抜ける。
【００１１】
さらに、前記回動組立体は支持具を含み、当該俯仰組立体はさらに、第一側壁および第二側壁に接続された底壁を含み、当該支持具は底壁に接続されている。
【００１２】
さらに、前記回動組立体は、出力軸を有するモータを含み、前記回動組立体はさらに、出力軸に外嵌されたクランクと、コネクティングロッドと、位置決め具と、位置決め具に設けられた接続柱とを備え、前記コネクティングロッドは、一端がクランクに接続され、他端が接続柱に接続され、前記支持具は、位置決め具に回動可能に設けられ、前記モータは、出力軸、クランク、コネクティングロッド、接続柱、支持具及び底壁を介して、ヘッド組立体及び俯仰組立体を水平方向において回動するように駆動する。
【００１３】
さらに、前記駆動機構はさらにワイヤーハーネスを含み，前記ヘッド組立体はメインモータを含み、前記位置決め具にはさらに収容チャンバーが開けられ、前記支持具にはバイアホールが開けられ、ワイヤーハーネスは順に、収容チャンバー、バイアホール、及び俯仰組立体を通り抜けて、メインモータに接続される。
【００１４】
本発明はさらに、ヘッド組立体及び前記駆動機構を含むヘッド機構を提供する。
【００１５】
本発明はさらに支持組立体を含む扇風機を提案する。前記扇風機はさらに前記ヘッド機構を含み、前記支持組立体はヘッド機構を支持する。
【００１６】
本発明の駆動機構は俯仰組立体と回動組立体とを含み、前記ヘッド組立体が俯仰組立体と接続されて、当該ヘッド組立体は俯仰組立体により鉛直方向において一つの既定の俯仰角まで回動し、前記回動組立体が俯仰組立体と接続されて且つ俯仰組立体の下に位置し、当該回動組立体はヘッド組立体と俯仰組立体を水平方向において回動するように動かし、ヘッド組立体が俯仰組立体に動かされて一つの既定の俯仰角になった場合、回動組立体に動かされて水平方向において回動することも可能である。本発明の回動組立体が俯仰組立体の下に位置して、俯仰組立体がヘッド組立体を鉛直方向のみにおいて回動するように動かすので、本発明の扇風機は比較的大きい俯仰角を有する。
本発明の実施例及び従来技術の技術案をより明確に説明するため、以下では、実施例或いは従来技術の説明に必要とされる添付図面を簡単に紹介する。下記説明における添付図面は本発明の一部の実施例に過ぎないことは明らかであって、当業者にとって、創造的な労働を行わないことを前提に、これらの添付図面が示す構造により他の添付図面を得ることができる。
【図面の簡単な説明】
【００１７】
【図１】本発明のヘッド機構の一実施例の構造模式図である。
【図２】図１に示すヘッド機構の一実施例の断面図である。
【図３】図１に示すヘッド機構の一部構造の模式図である。
【図４】図１に示すヘッド機構の一部構造の模式図である。
【図５】図１に示すヘッド機構の俯仰組立体の構造模式図である。
【図６】図５に示す俯仰組立体のもう一つの角度から見た構造模式図である。
【図７】図５に示す俯仰組立体のさらにもう一つの角度から見た構造模式図である。
【図８】図７に示す俯仰組立体のＶＩＩＩ−ＶＩＩＩ線に沿う断面図である。
【発明を実施するための形態】
【００１８】
添付図面を参照して、実施例と組み合わせて本発明の目的の実現、機能特徴及び長所をさらに説明する。
以下では、本発明の実施例における添付図面と組み合わせ、本発明の実施例における技術案を明確且つ完全に説明する。説明される実施例は本発明の全ての実施例ではなく、本発明の一部の実施例に過ぎないことは明らかである。本発明における実施例に基づいて、当業者が創造的な労働を行わないことを前提に得られた全ての他の実施例は、本発明の保護する範囲に属す。
【００１９】
本発明の実施例での全ての方向性指示（例えば上、下、左、右、前、後．．．．．．）は、当該方向性指示はある特定の姿勢（添付図面に示す）における各部品間の相対的位置関係、移動状況等を説明するためだけに用いられるものであり、もし当該特定の姿勢が変わる場合、当該方向性指示もそれ相当に変わることは、説明しておく必要がある。
【００２０】
素子がもう一つの素子の上に「固定されている」或いは「設置されている」と説明されている場合、それが直接当該もう一つの素子の上に位置するか、或いは介在する素子が同時に存在することが可能となることは、説明しておく必要がある。一つの素子がもう一つの素子に「接続されている」と説明されている場合、それが当該もう一つの素子に直接接続されているか、或いは介在する素子が同時に存在することが可能となる。
【００２１】
また、本発明の実施例において「第一」、「第二」等に係る説明は説明のために用いられるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００２２】
図１〜８を参照すると、本発明では、扇風機のヘッド組立体３０を駆動して鉛直回動および水平回動させるように設置された駆動機構を提供する。
【００２３】
前記駆動機構は、前記ヘッド組立体３０と接続され、当該ヘッド組立体３０を鉛直方向において一つの既定の俯仰角まで回動するように動かす俯仰組立体１０と、俯仰組立体１０と接続されて、且つ俯仰組立体１０の下に位置し、ヘッド組立体３０と俯仰組立体１０を水平方向において回動するように動かす回動組立体５０と、を含む。
【００２４】
図１に示す俯仰方向は、ヘッド組立体３０が鉛直方向において回動する方向であることを理解されたい。
【００２５】
本発明の一実施例において、当該俯仰角の範囲は、−３０°〜９０°である。
【００２６】
俯仰角を−３０°に設定すると、ヘッド組立体３０は、鉛直方向において、初期位置から下へ３０°回動し、俯仰角を９０°に設定すると、ヘッド組立体３０は、鉛直方向において、初期位置から上へ９０°まで回動することは、理解されるであろう。
【００２７】
好ましくは、当該俯仰角は、−３０°、−２５°、−２０°、−１５°、−１０°、−５°、−３°、１０°、２０°、３０°、４０°、５０°、６０°、７０°、８０°、９０°、１００°、１１０°などである。実際に必要に応じて、手動でヘッド組立体３０を必要とされる俯仰角に調整できることは、理解できるであろう。
【００２８】
ヘッド組立体３０が回転中心線Ａに沿って俯仰運動を行うことは、理解できるであろう。回転軸１３も回転中心線Ａに沿って回動する。ヘッド組立体３０と俯仰組立体１０は回転中心線Ｂに沿って水平回動を行い、即ち、回動組立体５０の回転中心線はＢである。
【００２９】
ヘッド組立体３０が回転中心線Ａに沿って９０°仰向いた場合、回転中心線Ａは回転中心線Ｂと交わるとともに、ヘッド組立体３０のメインモータ３３の回転中心線Ｃは回動組立体５０の回転中心線Ｂと重なり合う。この場合、ヘッド機構の重心は比較的中央にあるので、ヘッド機構の重心が比較的安定して、転倒が発生しにくくなる。ヘッド組立体３０が回転中心線Ａに沿って９０°仰向いたとき、ヘッド組立体３０は上へ「上空に向けて」送風する。
【００３０】
本発明の駆動機構は俯仰組立体１０と回動組立体５０とを含み、前記ヘッド組立体３０が俯仰組立体１０と接続されて、当該ヘッド組立体３０は俯仰組立体１０により鉛直方向において一つの既定の俯仰角まで回動し、前記回動組立体５０が俯仰組立体１０と接続されて且つ俯仰組立体１０の下に位置し、当該回動組立体５０はヘッド組立体３０と俯仰組立体１０を水平方向において回動するように動かし、ヘッド組立体３０が俯仰組立体１０に動かされて一つの既定の俯仰角にある場合、回動組立体５０に動かされて水平方向において回動することも可能である。本発明の回動組立体５０が俯仰組立体１０の下に位置して、俯仰組立体１０がヘッド組立体３０を鉛直方向だけにおいて回動するように動かして、回動組立体５０が俯仰運動を行うことなく、俯仰組立体１０との衝突を避けるので、本発明の扇風機は比較的大きい俯仰角を有する。
【００３１】
そして、俯仰組立体１０がヘッド組立体３０と回動組立体５０との間に位置して、ヘッド組立体３０が俯仰組立体１０に動かされて鉛直方向に沿って一つの既定の角度まで回動してから、当該回動組立体５０がヘッド組立体３０と俯仰組立体１０を水平方向において回動するように動かす。先行技術では、俯仰組立体によりヘッド組立体と左右首振り組立体を支持して、ヘッド組立体と左右首振り組立体が鉛直方向に沿って一つの既定の角度まで回動してから、当該左右首振り組立体はさらにヘッド組立体を水平方向において回動するように動かす技術案になっている。それに対して、本発明の技術案によれば、扇風機の運転が安定して、且つ重心も比較的安定しているので、転倒が発生しにくくなる。
【００３２】
さらに、ヘッド組立体３０が俯仰組立体１０に動かされて鉛直方向に沿って一つの既定の角度まで回動してから、当該回動組立体５０がヘッド組立体３０と俯仰組立体１０を水平方向において回動するように動かす。先行技術では、ヘッド組立体と左右首振り組立体が鉛直方向に沿って一つの既定の角度まで回動してから、扇風機が水平回動する過程において、左右首振り組立体と俯仰組立体との間に当該既定の角度が形成されて、且つ左右首振り組立体は俯仰組立体に対して往復してせん断する動作を行う技術案になっている。それに対して、本発明の技術案は安全性が強い利点を有し、指を挟んでケガさせることはない。
【００３３】
当該俯仰組立体１０は回転軸１３を含み、当該ヘッド組立体３０はモータ支柱３１を含み、当該モータ支柱３１は二つの対向して設置されている接続壁３１１を含み、それぞれ一つの接続壁３１１は回転軸１３の一端と接続されている。
【００３４】
本発明の一実施例において、回転軸１３の両端にはいずれも凸出端（図示しない）が凸出して設けられ、当該凸出端は対応する接続壁３１１と接続できる。
【００３５】
本発明の回転軸１３の両端はそれぞれ対応する接続壁３１１に接続されることで、回転軸１３が回動すると、接続壁３１１を回動するように動かして、ヘッド組立体３０が俯仰組立体１０に動かされて回動するようにできる。
【００３６】
当該俯仰組立体１０はさらにケース１１を含み、ケース１１は対向して設けられた第一側壁１１１と第二側壁１１２を含み、当該回転軸１３の両端はそれぞれ、それに対応する第一側壁１１１と第二側壁１１２を回動可能に通り抜けてから、接続壁３１１と接続される。
【００３７】
本発明の一実施例において、当該俯仰組立体１０はさらに対向して設けられた第一軸スリーブ１３１と第二軸スリーブ１３３を含む。第一軸スリーブ１３１は第一側壁１１１の内面に設けられ、第二軸スリーブ１３３は第二側壁１１２の外面に設けられている。回転軸１３は順に、第一側壁１１１、第一軸スリーブ１３１、第二側壁１１２、及び第二軸スリーブ１３３を通り抜ける。第一軸スリーブ１３１と第二軸スリーブ１３３は回転軸１３の保護に利用できる。
【００３８】
一つの位置決め具１３１１により第一軸スリーブ１３１と第一側壁１１１を接続できる。当該位置決め具１３１１はねじなどとすることが可能である。
【００３９】
本発明の技術案の回転軸１３の両端はそれぞれ、それに対応する第一側壁１１１と第二側壁１１２を回動可能に通り抜けてから、接続壁３１１に接続されることで、回転軸１３が回動すると、第一側壁１１１と第二側壁１１２は回転軸１３とともに回動せず、接続壁３１１が回転軸１３に動かされて回動し、ヘッド組立体３０が俯仰組立体１０の回転軸１３に動かされて回動するようにできる。
【００４０】
当該俯仰組立体１０はさらに、回転軸１３上に外嵌されたねじりばね１３５と、回転軸１３に設置された位置制限具１３７とを含み、当該ねじりばね１３５は、対向して設置された第一端１３５１と第二端１３５３とを含み、当該第二側壁１１２には、さらにストッパ１１２１が備えられ、当該第一端１３５１の位置は位置制限具１３７に制限され、当該第二端１３５３はストッパ１３３１に止められる。
【００４１】
位置制限具１３７は回転軸１３に挿入されて且つ一部が回転軸１３から露出できる。
【００４２】
本発明の技術案のねじりばね１３５は、第一端１３５１の位置が位置制限具１３７に制限され、第二端１３５３がストッパ１３３１に止められ、回転軸１３の回動時に、ねじりばね１３５は位置制限具１３７の位置制限作用およびストッパ１３３１の止めによって締め付けられる。このとき、回転軸１３には、ヘッド組立体３０の下への滑りを防止するために、反力である予締付力が発生する。
【００４３】
当該回転軸１３の一端面には、収容溝１３２１が凹設され、当該俯仰組立体１０はさらに、収容溝１３２１に収容された位置制限球１７を備え、当該第一側壁１１１には、間隔をあけて設けられたいくつかの位置制限孔１１１１が開けられて、当該ヘッド組立体３０は、俯仰組立体１０に動かされて鉛直方向において一つの既定の俯仰角まで回動して、当該位置制限球１７の位置は、対応する位置制限孔１１１１の孔壁に制限される。
【００４４】
位置制限孔１１１１の数は８〜１５個とすることができる。
【００４５】
本発明の一実施例では、１０個の位置制限孔１１１１を設けることができ、位置制限球１７はその中の一つの位置制限孔１１１１からもう一つの隣接する位置制限孔１１１１に移動することで、ヘッド組立体３０が回動する角度は１０度である。
【００４６】
実際の必要に応じて、位置制限孔１１１１の数及び隣接する位置制限孔１１１１の間隔を設定して、位置制限球１７がその中の一つの位置制限孔１１１１からもう一つの隣接する位置制限孔１１１１に移動することで、ヘッド組立体３０の回動する角度を調節できることは、理解できるであろう。
【００４７】
回転軸１３には凸起１３２が凸設されており、当該凸起１３２の一端面には高い収容溝１３２１が凹設されている。位置制限１７の直径は、位置制限孔１１１１の直径より大きくしてもよい。
【００４８】
本発明の技術案の位置規制球１７は収容溝１３２１に収容され、ヘッド組立体３０が俯仰組立体１０に動かされて鉛直方向において一つの既定の俯仰角まで回転する過程で、当該位置規制球１７は第一側壁１１１に沿って転動して、且つ対応する位置制限孔１１１１の孔壁及び／又は当該孔壁の周縁に位置を制限することが可能である。位置制限球１７の位置が対応する位置制限孔１１１１の孔壁及び／又は当該孔壁の周縁に制限された場合、ヘッド組立体３０を当該俯仰角に留まって下へ滑らないようにできる。位置制限球１７と位置制限孔１１１１との間の協働により、使用者は、位置制限球１７の位置を調節するだけで、ヘッド組立体３０を適切な俯仰角にまで移動させることができる。
【００４９】
前記位置制限孔１１１１は、前記回転軸１３の回転中心軸線と第一側壁１１１が位置する平面との交点を円心とし、前記交点と前記位置制限球１７との距離を半径とする一つの円周上に分布している。
【００５０】
本発明の技術案における位置制限孔１１１１は、前記回転軸１３の回転中心軸線と第一側壁１１１が位置する平面との交点を円心とし、前記交点と前記位置制限球１７との距離を半径とする一つの円周上に分布していることで、位置制限球１７といずれか一つの位置制限孔１１１１との間の間隔も等しくして、ヘッド組立体３０が俯仰組立体１０に動かされて鉛直方向において一つの既定の俯仰角まで回動する過程において、位置制限球１７の位置がいずれか一つの位置制限孔１１１１に制限されることも可能である。
【００５１】
当該俯仰組立体１０はさらに、収容溝１３２１に収容された弾性部材１５を備え、当該弾性部材１５の一端は収容溝１３２１の底壁に当接し、他端は位置制限球１７に当接する。
【００５２】
弾性部材１５は、ばねとしてもよい。
【００５３】
位置制限球１７は、弾性部材１５を介して収容溝１３２１内に移動可能に設けられており、収容溝１３２１の底壁と第一側壁１１１との制限作用によって、弾性部材１５に一定の予締付力を付与し、この場合、弾性部材１５は長い圧縮状態にある。ヘッド組立体３０が鉛直方向において仰向く或いは俯く場合、位置制限球１７が一つの位置制限孔１１１１からもう一つの位置制限孔１１１１の中に移動する。その過程で、弾性部材１５はまず、さらに圧縮されてから、徐々に解放される。弾性部材１５が常に長い圧縮状態にあるため、位置制限球１７がもう一つの位置制限孔１１１１に移動した後、弾性部材１５は、位置制限球１７に弾性力を付与して、それを位置制限孔１１１１の孔壁及び／又は孔壁の周縁に当接させる。これにより、ヘッド組立体３０を滑り落ちることなく一つの俯仰角に保持することができる。
【００５４】
当該第二側壁１１２には、間隔をあけて設置されたいくつかの開孔１１２３が開けられて、ねじりばね１３５の第二端１３５３を止めるために、当該ストッパ１１２１がその中の一つの開孔１１２１を通り抜ける。
【００５５】
当該ストッパ１１２１は、第二軸スリーブ１３３と第二側壁１１２とを通り抜けて、第二軸スリーブ１３３と第二側壁１１２とを接続することができる。当該第二軸スリーブ１３３には、開孔１１２３に対応する孔が開けられている。
【００５６】
ストッパ１１２１の第二側壁１１２を通り抜けた部分は、ストッパ端１１２５を形成する。ストッパ端１１２５は当該ねじりばね１３５の第二端１３５３を止める。
【００５７】
本発明の技術案における第二側壁１１２には、間隔をあけて設置された複数の開孔１１２３が開けられて、ねじりばね１３５の第二端１３５３を止めるために、当該ストッパ１１２１がその中の一つの開孔１１２１を通り抜ける。
【００５８】
当該いくつかの開孔１１２３は、第二側壁１１２の一方側から他方側に向かう方向に沿って第二側壁１１２上に設けられてもよいことは、理解できるであろう。ストッパ１１２１を異なる開孔１１２３の中に設けることによって、ねじりばね１３５の第二端１３５３に対するストッパ１１２１の阻止力が異なることは、理解できるであろう。したがって、実際の必要に応じて、開孔１１２３の位置、数、及び間隔を設定して、そして適切な開孔１１２３の中にストッパ１１２１を設けることにより、ねじりばね１３５の第二端１３５３に対するストッパ１１２１の阻止力を調整することができる。
【００５９】
前記回動組立体５０は支持具５１を含み、当該俯仰組立体１０はさらに、第一側壁１１１および第二側壁１１２に接続された底壁１１３を含み、当該支持具５１は底壁１１３に接続されている。
【００６０】
本発明の技術案の支持具５１は、俯仰組立体１０の底壁１１３に接続されている。これにより、回動組立体５０が支持具５１と底壁１１３との間の接続関係によって俯仰組立体１０及びヘッド組立体３０を回転するように動かすことができる。
【００６１】
前記回動組立体５０は、出力軸５３１を有するモータ５３を含み、前記回動組立体５０はさらに、出力軸５３１に外嵌されたクランク５３３と、コネクティングロッド５３５と、位置決め具５３７と、位置決め具５３７に設けられた接続柱５３６とを備え、前記コネクティングロッド５３５は、一端がクランク５３３に接続され、他端が接続柱５３６に接続され、前記支持具５１は、位置決め具５３７に回動可能に設けられ、前記モータ５３は、出力軸５３１、クランク５３３、コネクティングロッド５３５、接続柱５３６、支持具５１、及び底壁１１３を介して、ヘッド組立体３０及び俯仰組立体１０を水平方向において回動するように駆動する。
【００６２】
本発明の一実施例では、モータ５３は支持具５１の一端に設けられ、支持具５１の他端には貫通孔（図示せず）が開けられ、支持具５１はこの貫通孔を通して位置決め具５３７に回動可能に外嵌されている。
【００６３】
コネクティングロッド５３５は接続柱５３６に回動可能に接続されている。
【００６４】
本発明の技術案のモータ５３が出力軸５３１を回動するように駆動すると、出力軸５３１がクランク５３３を回動するように動かし、そしてクランク５３３に接続されたコネクティングロッド５３５及び支持具５１を回転するように動かして、さらにはヘッド組立体３０及び俯仰組立体１０を水平方向において回動するように動かす。
【００６５】
前記駆動機構はさらにワイヤーハーネス７０を含み，前記ヘッド組立体３０はメインモータ３３を含み、前記位置決め具５３７にはさらに収容チャンバー５３７１が開けられ、前記支持具５１にはバイアホール５１１が開けられ、ワイヤーハーネス７０は順に、収容チャンバー５３７１とバイアホール５１１を通り抜けて、メインモータ３３に接続される。
【００６６】
本発明の一実施形態では、俯仰組立体１０はさらに、ケース１１を覆うように設けられているケーシング（図示せず）を含み、当該ケーシングとケース１１との間に隙間が形成されており、ワイヤーハーネス７０は順に、収容チャンバー５３７１、バイアホール５１１及び当該ケーシングとケース１１との間の隙間を通り抜けて、メインモータ３３に接続される。
【００６７】
収容チャンバー５３７１の中心軸線は、回動組立体５０の回転中心線Ｂと重なってもよい。これにより、回動組立体５０が俯仰組立体１０及びヘッド組立体３０を水平方向において回動するように動かす過程において、収容チャンバー５３７１の中に収容されたワイヤーハーネス７０が当該水平回動から影響を受けにくくすることで、ワイヤーハーネス７０が摩耗しにくくして、比較的長い使用寿命とする。
【００６８】
メインモータ３３は、その出力軸３３１を回転駆動し、当該出力軸３３１に接続されているファンブレード３５を回転駆動する。
【００６９】
ファンヘッドのファンブレード３５が出力軸３３１の回転中心線Ｃ周りに回転できることは、理解できるであろう。
【００７０】
本発明の技術案のワイヤハーネス７０は、収容チャンバー５３７１とバイアホール５１１を順に通り抜けて、メインモータ３３に接続されることで、メインモータ３３に電気エネルギーを供給する。
【００７１】
さらに、ヘッド組立体３０が一つの俯仰角になると、ヘッド組立体３０は水平方向において回転中心線Ｂに沿って左右に回動し、ファンブレード３５がさらに回転中心線Ｃ周りに回転することで、ファンヘッドにおいて比較的大きな負圧が発生するようにして、比較的多い空気を吸い込んで、ファンブレード３５により比較的大きな風を吹き出せるようにして、風速を比較的大きくできる。そのため、本発明の扇風機にはさらに、送風距離が遠く、風速が強いという利点もある。
【００７２】
本発明はまた、ヘッド組立体３０及び上記の駆動機構を含むヘッド機構を提供する。
【００７３】
当該ヘッド機構は上記全ての実施例の全ての技術案を採用したので、少なくとも上記実施例の技術案がもたらす全ての有益効果を有し、ここでは逐一贅言しない。
【００７４】
本発明の一実施例において、ファンブレード３５はメインファンブレード３５１とサブブレード３５３を含み、ハブ上には複数のメインファンブレード３５１が固定設置されており、隣り合うメインファンブレード３５１の間にはサブブレード３５３が設けられ、前記サブブレード３５３とメインファンブレード３５１はハブの軸方向においてカナード式レイアウトとして配置されている。ファンヘッドが回転すると、吸気側の気流はサブブレード３５３によって加速されて、メインファンブレード３５１の気流を干渉する分離渦を形成し、メインファンブレード３５１の根元前縁に溜まる還流を連れ去る吸引力をメインファンブレード３５１の負圧面において発生させて、メインファンブレード３５１の根元前縁における気流をよりスムーズにして、実際の仕事する面積を増やすので、本ファンヘッドの内側流れの品質がよく、効率が高い。これによりファンヘッドにより送風する範囲がより大きく、送風距離がより遠く、風速がより速くなる。
【００７５】
通常、ファンヘッドを流れる気流に対して、ハブの軸方向における前記サブブレード３５３の位置はメインファンブレード３５１の上流に位置することで、ファンヘッドの内側流れの品質をよりよくする。
【００７６】
本発明の実施例における前記メインファンブレード３５１とサブブレード３５３はそれぞれ前スキュー前進と後スキュー後退設計とされ、前記サブブレード３５３は後スキュー前縁と直線後縁設計とされて、且つ当該後縁は前進角を有する。前記サブブレード３５３とメインファンブレード３５１は上位カナードレイアウトでハブに配置されている。ファンヘッドの設計の柔軟性を強化するために、ここでは、前記サブブレード３５３とメインファンブレード３５１を下位カナードレイアウトでハブに配置してもよいことは、注意しておく必要がある。前記メインブレード３５１は後退或いは直線ブレード設計としてもよいことは、理解できるであろう。
【００７７】
当該ヘッド機構はさらにガード３７を含み、当該ファンブレード３５はガード３７の中に収容される。
【００７８】
メインモータ３３の出力軸３３１はガード３７を通ってファンブレード３５と接続される。
【００７９】
本発明は更に、支持組立体（図示せず）を含む扇風機（図示せず）を提案する。
【００８０】
前記扇風機はさらに上記ヘッド機構を含み、前記支持組立体はヘッド機構を支持する。
【００８１】
本発明の一実施例において、扇風機は立柱９０を含んでもよい。当該立柱９０は円柱形構造を有することができる。回動組立体５０は立柱９０に設けられている。これにより回動組立体５０と立柱９０との間にせん断動作を起こすことなく、使用者の手が挟まれてケガするのを防止する。
【００８２】
当該扇風機は上記全ての実施例の全ての技術案を採用したので、少なくとも上記実施例の技術案がもたらす全ての有益効果を有し、ここでは逐一贅言しない。
【００８３】
以上は本発明の好ましい実施例にすぎず、それによって本願の特許の範囲を制限するわけではない。本発明の出願構想の下で、本願の明細書及び添付図面の内容を利用してなされた等価構造変換、或いは他の関連する技術分野への直接或いは間接的な応用は、何れも本願の特許の保護範囲に含まれる。
【符号の説明】
【００８４】
１００  扇風機
１０  俯仰組立体
１１  ケース
１１１  側壁
１１１１  位置制限孔
１１３  底壁
１１３１  開口
１３  回転軸
１３１  第一軸スリーブ
１３１１  位置決め具
１３２  凸起
１３２１  収容溝
１３３  第二軸スリーブ
１１２１  ストッパ
１１２３  開孔
１１２５  ストッパ端
１３５  ねじりばね
１３５１  第一端
１３５３  第二端
１３７  位置制限具
１５  弾性部材
１７  位置制限球
３０  ヘッド組立体
３１  モータ支柱
３１１  接続壁
３３  メインモータ
３３１  出力軸
３５  ファンブレード
３５１  メインファンブレード
３５３  サブブレード
３７  ガード
５０  首振り組立体
５１  支持具
５１１  バイアホール
５３  モータ
５３１  出力軸
５３３  クランク
５３５  コネクティングロッド
５３６  接続柱
５３７  位置決め具
５３７１  収容チャンバー
７０  ワイヤーハーネス
９０  立柱
【図１】
2021517221.tif 000003
【図２】
2021517221.tif 000004
【図３】
2021517221.tif 000005
【図４】
2021517221.tif 000006
【図５】
2021517221.tif 000007
【図６】
2021517221.tif 000008
【図７】
2021517221.tif 000009
【図８】
2021517221.tif 000010
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
扇風機のヘッド組立体の鉛直回動及び水平回動を駆動するように設置されている駆動機構であって、
前記ヘッド組立体と接続され、前記ヘッド組立体を鉛直方向において一つの既定の俯仰角まで回動するように動かす俯仰組立体と、
前記俯仰組立体と接続されて、且つ前記俯仰組立体の下に位置し、前記ヘッド組立体と前記俯仰組立体を水平方向において回動するように動かす回動組立体と、
を含む駆動機構。
【請求項２】
前記俯仰組立体は回転軸を含み、前記ヘッド組立体は二つの対向して設置されている接続壁を含み、それぞれ一つの前記接続壁は前記回転軸の一端と接続されている請求項１に記載の駆動機構。
【請求項３】
前記俯仰組立体は、対向して設けられた第一側壁と第二側壁とをさらに含み、前記回転軸の両端はそれぞれ、それに対応する前記第一側壁と前記第二側壁を回動可能に通り抜けてから、前記接続壁と接続されている請求項２に記載の駆動機構。
【請求項４】
前記俯仰組立体は、前記回転軸上に外嵌されたねじりばねと、前記回転軸に設置された位置制限具と、をさらに含み、前記ねじりばねは、対向して設置された第一端と第二端とを含み、前記第二側壁には、ストッパがさらに備えられ、前記第一端の位置は前記位置制限具に制限され、前記第二端は前記ストッパに止められ、
前記第二側壁には、間隔をあけて設置されたいくつかの開孔が開けられて、前記ねじりばねの第二端を止めるために、前記ストッパがその中の一つの開孔を通り抜ける請求項３に記載の駆動機構。
【請求項５】
前記回転軸の一端面には、収容溝が凹設され、前記俯仰組立体は、前記収容溝に収容された位置制限球をさらに備え、前記第一側壁には、間隔をあけて設けられたいくつかの位置制限孔が開けられて、前記ヘッド組立体は、前記俯仰組立体に動かされて鉛直方向において一つの既定の俯仰角まで回動して、前記位置制限球の位置は、対応する前記位置制限孔の孔壁に制限され、
前記位置制限孔は、前記回転軸の回転中心軸線と前記第一側壁が位置する平面との交点を円心とし、前記交点と前記位置制限球との距離を半径とする円周上に分布しており、且つ／又は、
前記俯仰組立体は、前記収容溝に収容された弾性部材をさらに備え、前記弾性部材の一端は前記収容溝の底壁に当接し、他端は前記位置制限球に当接する請求項３に記載の駆動機構。
【請求項６】
前記回動組立体は支持具を含み、前記俯仰組立体は、前記第一側壁および前記第二側壁に接続された底壁をさらに含み、前記支持具は前記底壁に接続されており、
前記回動組立体は、出力軸を有するモータを含み、前記回動組立体は、前記出力軸に外嵌されたクランクと、コネクティングロッドと、位置決め具と、前記位置決め具に設けられた接続柱と、をさらに備え、前記コネクティングロッドは、一端が前記クランクに接続され、他端が前記接続柱に接続され、前記支持具は、前記位置決め具に回動可能に設けられ、前記モータは、前記出力軸、前記クランク、前記コネクティングロッド、前記接続柱、前記支持具、及び前記底壁を介して、前記ヘッド組立体及び前記俯仰組立体を水平方向において回動するように駆動し、
前記駆動機構はワイヤーハーネスをさらに含み、前記ヘッド組立体はメインモータを含み、位置決め具にはさらに収容チャンバーが開けられ、前記支持具にはバイアホールが開けられ、前記ワイヤーハーネスは順に、前記収容チャンバー、前記バイアホール及び前記俯仰組立体を通り抜けて、前記メインモータに接続される請求項３に記載の駆動機構。
【請求項７】
支持組立体を含む扇風機であって、前記扇風機はヘッド機構をさらに含み、前記支持組立体は前記ヘッド機構を支持し、前記ヘッド機構はヘッド組立体及び駆動機構を含み、前記駆動機構が扇風機の前記ヘッド組立体の鉛直回動及び水平回動を駆動するように設置され、前記駆動機構は、
前記ヘッド組立体と接続され、前記ヘッド組立体を鉛直方向において一つの既定の俯仰角まで回動するように動かす俯仰組立体と、
前記俯仰組立体と接続されて、且つ前記俯仰組立体の下に位置し、前記ヘッド組立体と前記俯仰組立体を水平方向において回動するように動かす回動組立体と、
を含む扇風機。
【国際調査報告】
2021517221.tif 000011
2021517221.tif 000012
2021517221.tif 000013
2021517221.tif 000014
2021517221.tif 000015
2021517221.tif 000016